(57)【要約】【課題】多パルス整流器を適用するに当たって、この多パルス整流器に対する強度の防水構造を不要化することのできる空気調和機の室外機を提供する。【解決手段】冷凍サイクルを形成する圧縮機、アキュムレータ、室外熱交換器及びこの室外熱交換器に通風を行う室外ファンと、商用電源の交流を整流する整流器、この整流器で整流された直流を可変周波数の交流に変換するインバータ及びこのインバータを制御する制御部を含むインバータ装置とが室外筐体に収納された空気調和機の室外機において、商用電源に接続され、商用電源電圧を所定角だけ移相して出力する変圧器及びこの変圧器から出力された交流を整流して整流器の出力経路に供給する補助整流器をユニット化してなる多パルス整流器ユニットを室外筐体の内部に収納したものである。【選択図】  図３
2004278821.tif 000002
【特許請求の範囲】
【請求項１】
冷凍サイクルを形成する圧縮機、アキュムレータ、室外熱交換器及びこの室外熱交換器に通風を行う室外ファンと、３相交流商用電源の交流を整流する整流器、この整流器で整流された直流を可変周波数の交流に変換するインバータ及びこのインバータを制御する制御部を含むインバータ装置とが室外筐体に収納された空気調和機の室外機において、
前記商用電源に接続され、商用電源電圧を所定角だけ移相して出力する変圧器及びこの変圧器から出力された交流を整流して前記整流器の出力経路に供給する補助整流器をユニット化してなる多パルス整流器ユニットを前記室外筐体の内部に収納したことを特徴とする空気調和機の室外機。
【請求項２】
前記多パルス整流器ユニットを前記アキュムレータに近接させて取り付けたことを特徴とする請求項１に記載の空気調和機の室外機。
【請求項３】
前記室外筐体は、正面側及び背面側にそれぞれ前記多パルス整流器ユニットの取付を可能にする、着脱自在な点検蓋を備えたことを特徴とする請求項１又は２に記載の空気調和機の室外機。
【請求項４】
前記多パルス整流器ユニットは、前記室外筐体に取付けられるべき正面側底部及び背面側底部からそれぞれ水平方向に延出し、前記室外筐体の底板へのねじ止めを可能にする孔が形成された板状取付部を備え、
前記室外筐体は、底板における前記多パルス整流器ユニットの取付面の正面側及び背面側にて自由端部がそれぞれ内側を向き、前記自由端の相互間隔が前記板状取付部の対辺寸法よりも幅広にして鉤形に切り起こされ、前記多パルス整流器ユニットの板状取付部を嵌挿する一対の鉤形突起と、背面側の前記鉤形突起に前記多パルス整流器ユニットの背面側の前記板状取付部を嵌挿した位置で正面側の前記板状取付部を底板に固定することが可能で、かつ、正面側の前記鉤形突起に前記多パルス整流器ユニットの正面側の前記板状取付部を嵌挿した位置で背面側の前記板状取付部を底板に固定することが可能な一対のねじ孔とを備えた、
ことを特徴とする請求項３に記載の空気調和機の室外機。
【請求項５】
前記多パルス整流器ユニットは略直方体をなすケースに収納され、重心の近傍の底部に指の挿入を可能にする切欠きを設けたことを特徴とする請求項３又は４に記載の空気調和機の室外機。
【発明の詳細な説明】
【０００１】
【発明の属する技術分野】
本発明は、冷凍サイクルを形成する圧縮機、アキュムレータ、室外熱交換器及びこの室外熱交換器に通風を行う室外ファンと、３相交流商用電源の３相交流を整流する整流器、この整流器で整流された直流を可変周波数の交流に変換するインバータ（インバータ主回路）及びこのインバータを制御する制御部を含むインバータ装置とが室外筐体内に収納された空気調和機の室外機に関する。
【０００２】
【従来の技術】
インバータ装置を用いて圧縮機を可変速制御する空気調和機は、３相交流商用電源の３相交流を整流器によって直流に変換し、この直流をインバータによって可変電圧可変周波数の交流に変換して圧縮機に供給する構成になっている。この場合、整流器が交流を整流して直流に変換する際、直流側に大きな電流リップルが含まれ、これが商用電源側の高調波となって様々な障害を引き起こす。
【０００３】
このような高調波を低減するものとして、例えば、３相交流電圧に対して所定の角度だけ位相が進んだ３相交流電圧及び所定の角度だけ位相が遅れた３相交流電圧をそれぞれ出力する１台の変圧器と、この変圧器の各出力を全波整流して直流に変換し、主回路の整流器の出力経路に供給する補助整流器とを備えた「１８パルス整流器」と呼ばれる整流器が提案されている（例えば、特許文献１参照。）。
【０００４】
【特許文献】
特開２００２−１０６４６号公報
【０００５】
【発明が解決しようとする課題】
上述した１８パルス整流器を空気調和機に適用するには、インバータに直流を供給する主回路の整流器と並列に、変圧器及び２台の補助整流器を含む「多パルス整流器」を接続しなければならない。
【０００６】
また、多パルス整流器は空気調和機の全てに設ける必要はなく、インバータ装置の出力と電源容量との関係から必要か否かが判断される。したがって、多パルス整流器はオプション機器として必要な場合に取付けることが適当である。また、多パルス整流器を構成する変圧器はその体積及び重量が大きく、このような大型のオプション機器を空気調和機に取付ける場合、室外機の筐体外に設置するのが一般的である。しかしながら、室外機の筐体外に多パルス整流器を設置することは、屋外にそのまま設置することになるため、多パルス整流器を単体にて防水構造にしなければならず装置コストが高騰してしまうという問題があった。また、空気調和機の室外機を設置した後に、追加的に多パルス整流器を設置する必要が出てくる場合もある。このとき室外機の設置場所がビルの谷間や屋上等、周囲に広い作業空間がないことがあるため、その対策を講じておくことも必要である。
【０００７】
本発明は上記の事情を考慮してなされたもので、その目的は多パルス整流器を適用するに当たって、この多パルス整流器に対する強度の防水構造を不要化することのできる空気調和機の室外機を提供することにある。
【０００８】
本発明の他の目的は、作業空間の少ない場所に設置されていた場合でも、正面又は背面のいずれか一方に作業空間があれば容易に多パルス整流器を装着することのできる空気調和機の室外機を提供することにある。また、本発明のさらに他の目的は多パルス整流器の発熱を低減し、温度上昇を抑制することのできる空気調和機の室外機を提供することにある。
【０００９】
【課題を解決するための手段】
請求項１に係る発明は、
冷凍サイクルを形成する圧縮機、アキュムレータ、室外熱交換器及びこの室外熱交換器に通風を行う室外ファンと、３相交流商用電源の交流を整流する整流器、この整流器で整流された直流を可変周波数の交流に変換するインバータ及びこのインバータを制御する制御部を含むインバータ装置とが室外筐体に収納された空気調和機の室外機において、
商用電源に接続され、商用電源電圧を所定角だけ移相して出力する変圧器及びこの変圧器から出力された交流を整流して整流器の出力経路に供給する補助整流器をユニット化してなる多パルス整流器ユニットを室外筐体の内部に収納したことを特徴とする。
【００１０】
請求項２に係る発明は、請求項１に記載の空気調和機の室外機において、多パルス整流器ユニットをアキュムレータに近接させて取り付けたことを特徴とする。
【００１１】
請求項３に係る発明は、請求項１又は２に記載の空気調和機の室外機において、室外筐体は、正面側及び背面側にそれぞれ多パルス整流器ユニットの取付を可能にする、着脱自在な点検蓋を備えたことを特徴とする。
【００１２】
請求項４に係る発明は、請求項３に記載の空気調和機の室外機において、
多パルス整流器ユニットは、室外筐体に取付けられるべき正面側底部及び背面側底部からそれぞれ水平方向に延出し、室外筐体の底板へのねじ止めを可能にする孔が形成された板状取付部を備え、
室外筐体は、底板における多パルス整流器ユニットの取付面の正面側及び背面側にて自由端部がそれぞれ内側を向き、自由端の相互間隔が板状取付部の対辺寸法よりも幅広にして鉤形に切り起こされ、多パルス整流器ユニットの板状取付部を嵌挿する一対の鉤形突起と、背面側の鉤形突起に多パルス整流器ユニットの背面側の板状取付部を嵌挿した位置で正面側の板状取付部を底板に固定することが可能で、かつ、正面側の鉤形突起に多パルス整流器ユニットの正面側の板状取付部を嵌挿した位置で背面側の板状取付部を底板に固定することが可能な一対のねじ孔とを備えた、
ことを特徴とする。
【００１３】
請求項５に係る発明は、請求項３又は４に記載の空気調和機の室外機において、多パルス整流器ユニットは略直方体をなすケースに収納され、重心の近傍の底部に指の挿入を可能にする切欠きを設けたことを特徴とする。
【００１４】
【発明の実施の形態】
以下、本発明を図面に示す好適な実施形態に基づいて詳細に説明する。図１は本発明に係る空気調和機の室外機の一実施形態の概略構成を示す系統図であり、これに関連する一部の室内機も併せて示されている。図１において、３相交流電源１に室外機２が電気的に接続され、この室外機２に対して室内機３が冷媒配管によって接続されている。室外機２は３相交流電源１の３相交流電圧を全波整流する整流器（以下、他の整流器と区別するため主整流器と称する）４を備え、この主整流器４の出力側に、力率改善用のリアクタ５Ａと平滑コンデンサ５Ｂとが接続されると共に、インバータ６及び７が接続されている。これらのインバータ６及び７は冷凍サイクルを形成する圧縮機を可変速するもので、制御部８によって制御される。
【００１５】
一方、冷凍サイクルは、主に、冷媒配管によって並列に接続された親圧縮機１１及び子圧縮機１２、オイルセパレータ９、四方弁１３、室外熱交換器１４、リキッドタンク１６、室内熱交換器１７及びアキュムレータ１９によって構成され、このうち室外熱交換器１４の熱交換を促進するために室外ファン１５が、室内熱交換器１７の熱交換を促進するために室内ファン１８がそれぞれ設けられている。
【００１６】
また、インバータ６及び７を制御するために、圧縮機出側における冷媒配管の温度を検出する温度センサ２１、外気温を検出する温度センサ２２、室温を検出する温度センサ２３、各圧縮機の入側の冷媒配管の温度を検出する温度センサ２４及び２５が設けられ、これらの温度センサ２１〜２５の各検出値に基づいて制御部８がインバータ６及び７を制御する。また、制御部８は図示を省略したリモコン装置等の操作部の運転モード指令により四方弁１３を切り換える機能を備えている。
【００１７】
多パルス整流器３０は３相交流電源１側に生ずる高調波を低減するためのオプション機器であり、３相交流電源１の３相交流電圧を、ヒューズ３４を介して入力して、例えば、４０度だけ位相が進んだ３相交流電圧と４０度だけ位相が遅れた３相交流電圧を出力する変圧器３１と、これらの３相交流電圧をそれぞれ全波整流し、主整流器４の出力経路に供給する補助整流器３２及び３３とを備えている。また、補助整流器３２及び３３の出力は主整流器４と力率改善用リアクタ５Ａとの間に接続される。
【００１８】
次にこの空気調和機の動作を説明する。主整流器４は３相交流電源１の３相交流電圧を全波整流して脈流を出力する。主整流器４から出力された脈流は平滑コンデンサ５によって平滑されてインバータ６及び７に供給される。
【００１９】
変圧器３１は３相交流電源１に対してベクトル的にほぼ４０度進んだ３相交流電圧と、ベクトル的にほぼ４０度遅れた３相交流電圧とを出力する。これらの出力のうち、３相交流電源１に対して位相がほぼ４０度進んだ３相交流電圧が補助整流器３２によって全波整流され、主整流器４の負荷側に供給される。また、３相交流電源１に対して位相がほぼ４０度遅れた３相交流電圧も補助整流器３３によって全波整流され、主整流器４の負荷側に供給される。これによって、主整流器４を通して出力される直流の電圧リップルの谷間が埋められ、電源側の高調波も低減される。
【００２０】
一方、制御部８は運転モード指令に従って四方弁１３を適切に切り換え制御すると共に、温度センサ２１〜２５の温度検出値に基づき、室内機３の空調負荷に応じてインバータ６及び７の一方又は両方を制御することによって、冷媒を適切に循環させるように親圧縮機１１のみを可変速制御したり、親圧縮機１１を一定の速度にしたままで子圧縮機１２を可変速制御したりする。なお、親圧縮機１１及び子圧縮機１２を備える空気調和機には複数台の室内機が接続されのが一般的であるが、本発明には直接関係しないので１台室内機３のみを接続した状態を示している。なお、複数台の室内機３が接続された場合に制御部８がインバータ６及び７、あるいは、親圧縮機１１及び子圧縮機１２をどのように制御するかについては多くの提案がなされて公知であるのでその説明を省略する。
【００２１】
図２（ａ）及び（ｂ）は上述した空気調和機を構成する室外機２の正面図及び背面図であり、図３は図２（ａ）中のＡ−Ａ矢視方向拡大平面図である。これら各図において、室外機２は外径形状が略直方体の室外筐体２０を有し、この室外筐体２０内の上端部に室外ファン１５（図１参照）が実装されてファンガード２０１で覆われている。室外筐体２０の上側壁には多数の開口又は切り起こしが形成されると共に、その内部に室外熱交換器１４が実装されている。また、正面部のほぼ下半分が、配管配線口２０２ａを有する着脱自在の正面側点検蓋２０２によって覆われ、背面部のほぼ下半分が着脱自在の背面側点検蓋２０３によって覆われるようになっている。この室外機２の底部のうち、正面側に前述した主整流器４、平滑コンデンサ５、インバータ６，７及び制御部８を一体化してなるインバータボックス１０が装着され、中央部の室外筐体底板２１０に親圧縮機１１及び子圧縮機１２が固定され、さらに、正面側を基準にしてその右側部にリキッドタンク１６が、中央部よりやや左寄りにアキュムレータ１９が固定され、背面側にオイルセパレータ９が固定されている。
【００２２】
また、アキュムレータ１９と左側壁との間に、多パルス整流器３０を構成する変圧器３１及び補助整流器３２，３３をユニット化してなる多パルス整流器ユニット３００が装着されている。この多パルス整流器ユニット３００はオプション機器であるため、製造時に装着しても、あるいは、室外機２を設置した後、これを必要としたときに設置してもよい場所に配置されている。例えば、室外機２を設置した後に、多パルス整流器ユニット３００を装着するに当たって、正面側にしか作業空間がない場合には、正面側点検蓋２０２を取り外し、続いて、インバータボックス１０を取り外すだけでその装着が可能になっており、反対に、背面側にしか作業空間がない場合には背面側点検蓋２０３を取り外して装着することが可能になっている。このように、多パルス整流器ユニット３００を室外機２０の内部に設置するように構成したことにより、この多パルス整流器ユニット３００に対する強度の防水構造を不要化することができ、また、室外機２を設置した後、その正面又は背面のいずれか一方に作業空間があれば容易に多パルス整流器を追加的に装着することができる。さらに、多パルス整流器ユニット３００をアキュムレータ１９に近接させて取り付けたことによって、変圧器３１の冷却効果も期待できる。すなわち、空気調和機の運転中には多パルス整流器３０に大電流が流れることから、その構成部品である変圧器３１及び補助整流器３２，３３はかなり発熱することになる。
【００２３】
一方、この多パルス整流器３０を収納する室外筐体２０の下部には冷凍サイクル機械部品が多く設置されている。これらの機械部品である親圧縮機１１、子圧縮機１２、オイルセパレータ９、インバータボックス１０、リキッドタンク１６のいずれもが発熱部品であり、これらの近傍はその発熱によって高温状態にある。これに対して、アキュムレータ１９は冷凍サイクル運転中は常に低圧の低温冷媒が流れており、この周囲は冷却されている。したがって、多パルス整流器ユニット３００をこのアキュムレータ１９の近傍に配置することで他の高温となる冷凍サイクル機械部品からの発熱の影響を少なくし、低温のアキュムレータ１９による冷却効果を得ることができる。
【００２４】
また、空気調和機の消費電力量が大きく、多パルス整流器ユニット３００内の部品が極端に高温となる場合、多パルス整流器ユニット３００の下部に空気流入口を設け、側部に強制冷却ファン及び排気口を設けて強制冷却することも考えられる。この場合には、アキュムレータ１９近傍の冷却された空気が多パルス整流器ユニット３００内に吸い込まれることから極めて冷却効果の高い強制冷却が可能となる。
【００２５】
ところで、多パルス整流器ユニット３００は強度の防水構造が不要ではあっても、その主要部をある程度他から遮蔽し、かつ、その冷却を図らなければならない。図４はこのことを考慮した多パルス整流器ユニット３００の実際の構成例であり、（ａ）は主要素の装着状態を、（ｂ）はその部分拡大図を、（ｃ）はユニット化した外形形状をそれぞれ示した斜視図である。ここで、底板３０１は変圧器３１の外径形状に合わせて細長く形成され、その一端が正面側に向けられ、他端が背面側に向けられる。正面側の端部には正面板３０２が垂直に取り付けられ、その外側の底部に山形鋼に似た板状取付部３０４が取り付けられている。この板状取付部３０４の水平部分には、室外筐体底板２１０にねじ止めするための一対の取付孔３０８が形成されている。また、背面側の端部には背面板３０３が垂直に取り付けられ、その外側に板状取付部３０４と同様な形状の板状取付部３０５が対称に取り付けられている。そして正面板３０２及び背面板３０３の間の底板３０１上に、変圧器保持板３１Ｂを介して、変圧器３１が装着されている。
【００２６】
この変圧器３１の継鉄の上面に端子台３１Ａが取付けられている。背面板３０３の内側面の中央部に補助整流器３２及び３３が、その上方にヒューズ３４を収納するヒューズボックス３４Ａがそれぞれ取り付けられ、さらに、左側上端部には３相交流電源に接続するリード線及び主整流器４の出力側に接続するリード線を導出するための配線用切起こし３０６が形成されている。底板３０１の側面には、箱形の上底部と側板とが一体化された側板付箱形カバー３０７の下端が適当な圧力をもって接触せしめられ、さらに、この側板付箱形カバー３０７が正面板３０２及び背面板３０３にねじ止めされて略直方体の形状を有する多パルス整流器ユニット３００として組立てられる。この構成により、内部に水を侵入し難くしている。この場合、側板付箱形カバー３０７の両側板の下端部に、指を差し込むことが可能な切欠き３０９を設けて、その運搬、装着を容易化している。切欠き３０９は多パルス整流器ユニット３００の重心の近傍に設けられ、これによって運搬、装着を安定的に行うことができる。
【００２７】
図５は多パルス整流器ユニット３００を室外筐体２０の室外筐体底板２１０に装着する取付構造を示した図で、（ａ）は正面部から装着する場合を示し、（ｂ）は背面部から装着する場合を示している。ここで、室外筐体底板２１０の正面側に鉤形突起２０４が切起こされ、背面側に鉤形突起２０５が切起こされており、これらの間に一対のねじ孔２０６が離隔して形成されている。鉤形突起２０４及び２０５はそれぞれの自由端が内側に向けられ、多パルス整流器ユニット３００の板状取付部３０４，３０５を嵌挿する高さを有している。
【００２８】
この場合、多パルス整流器ユニット３００の板状取付部３０４，３０５の外矩寸法をＸ、鉤形突起２０４及び２０５の自由端の内矩寸法をＹとしたとき、これらの間にＹ＞Ｘの関係を持たせ、鉤形突起２０４及び２０５の間に多パルス整流器ユニット３００を余裕をもって載置できるようにしてある。そして、多パルス整流器ユニット３００を室外筐体２１０上に載置した後、正面側から装着する場合には矢印Ｆ方向に移動して背面側の板状取付部３０５を鉤形突起２０５に挿入し、正面側の板状取付部３０４を室外筐体底板２１０のねじ孔２０６にねじ止めする。逆に、背面側から装着する場合には多パルス整流器ユニット３００を矢印Ｂ方向に移動して正面側の板状取付部３０４を鉤形突起２０４に挿入し、背面側の板状取付部３０５を室外筐体底板２１０のねじ孔２０６にねじ止めする。
【００２９】
これによって、重量物である多パルス整流器ユニット３００を正面側と背面側のいずれの方向から装着作業を行っても、ほぼ同様な作業手順にて容易に装着することができる。また、この構成によれば、多パルス整流器ユニット３００をアキュムレータ１９と共通の室外筐体底板２１０に取付けたため、室外筐体底板２１０を介した伝熱による冷却効果も得られる。
【００３０】
図６は補助整流器３２（又は３３）の取付構造をヒートシンクと合わせて示した斜視図である。ここで、補助整流器３２はその中央部にねじ３６を挿入する取付孔３２ａを備えている。ヒートシンク３５は補助整流器３２を冷却するためのもので、背面板３０３に設けられた開口３０３ａを塞ぐようにねじ等（図示しない）で気密に取付けられている。この背面板３０３の開口３０３ａを通して露出したヒートシンク３５の背面部に補助整流器３２がねじ３６によって固定される。なお、補助整流器３３も同様に並置されるが、図では省略して表している。
【００３１】
補助整流器３２に対して３相交流電源への接続ケーブル及び直流出力用のケーブルがコネクタ３７によって接続される。なお、ヒートシンク３５のフィン３５１〜３５ｎがそれぞれ水平になるように取り付けた場合、それが冷却される過程で表面に結露することがある。これを防ぐためにフィン３５１〜３５ｎの全てを鉛直にして自然対流によって水分を蒸発させるようにしている。この構成により、補助整流器３２（又は３３）を確実に冷却することができ、さらに、結露によるヒートシンク３５から多パルス整流器ユニット３００内への結露水の侵入を未然に防止することができる。
【００３２】
図７は図４を用いて説明した多パルス整流器ユニット３００の内部配線を示した説明図であり、図中、図４と同一の要素には同一の符号を付してその説明を省略する。変圧器３１は内鉄形の３脚鉄心を有し、各鉄心脚にはＵ，Ｖ，Ｗの相巻線と補助巻線が巻装される。端子台３１Ａには３相交流電圧端子３８に接続されるケープルが接続されると共に、端子台３１Ａにて相が互いに異なる２次側の相巻線と補助巻線とが接続され、これによって生成される進み位相の３相交流電圧及び遅れ位相の３相交流電圧を補助整流器３２（又は３３）に導くケーブルがヒューズボックス３４Ａ内のヒューズ３４を介して接続される。さらに、直流出力端子３９に接続されたケーブルが補助整流器３２（又は３３）に接続される。このように、変圧器３１の長手方向の背面板３０３に補助整流器３２及び３３を配置して端子台３１Ａと接続する構成を採用したことにより配線構造を簡易化することができる。
【００３３】
図８は多パルス整流器ユニットの他の構成例であり、図７では変圧器３１を横にして装着したが、ここに示した多パルス整流器ユニット３００Ａは変圧器３１が縦にして装着され、これに伴って、３脚鉄心の側方端に当たる図面の上端に端子台３１Ａが取付けられている。このような構成にすることによって、図７で説明した場合と同様な配線構造を採用することができるほか、室外筐体２０の室外筐体底板２１０における多パルス整流器ユニットの占有面積を少なくすることができ、その実装が容易化される。
【００３４】
ところで、上述した実施形態は変圧器３１に端子台３１Ａを取付け、背面板３０３に補助整流器３２及び３３を取付けて両者を接続したが、補助整流器３２及び３３を、図８に示したように、縦に装置した変圧器３１の継鉄部分に取付けることも可能である。図９はその一例で、補助整流器３２及び３３を継鉄の外側面に上下に分けてねじ止めしたものである。このような構成により多パルス整流器ユニット内の配線構造が一層簡易化されると共に、製造及び取り扱いが容易になるという効果が得られる。
【００３５】
なお、上記の実施形態では多パルス整流器ユニット３００の正面側及び背面側に山形鋼に類似した板財を取り付けて板状取付部３０４及び３０５を形成したが、要は、室外筐体に取付けられるべき正面側底部及び背面側底部からそれぞれ水平方向に延出し、室外筐体の底板へのねじ止めを可能にする孔が形成されたものであれば良い。
【００３６】
【発明の効果】
以上の説明によって明らかなように、本発明によれば、多パルス整流器を適用するに当たって、この多パルス整流器に対する強度の防水構造を不要化することのできる空気調和機の室外機が提供される。
【図面の簡単な説明】
【図１】本発明に係る空気調和機の室外機の一実施形態の概略構成を示す系統図。
【図２】図１に示した空気調和機の室外機の正面図及び背面図。
【図３】図２に示した室外機のＡ−Ａ矢視方向拡大平面図。
【図４】図２又は図３に示した空気調和機の室外機に装着される多パルス整流器ユニットの構成例を示す斜視図。
【図５】図４に示した多パルス整流器ユニットを装着する取付構造を示した図。
【図６】図４に示した多パルス整流器ユニットにおける補助整流器の取付構造をヒートシンクと合わせて示した斜視図。
【図７】図４に示した多パルス整流器ユニットの内部配線図。
【図８】多パルス整流器ユニットの他の構成例を概略的に示した図。
【図９】多パルス整流器ユニットのもう一つ他の構成例を概略的に示した図。
【符号の説明】
２  室外機
４  整流器（主整流器）
１０  インバータボックス
１１  親圧縮機
１２  子圧縮機
１９  アキュムレータ
２０  室外筐体
３０  多パルス整流器
３１  変圧器
３２，３３  補助整流器
２０２  正面側点検蓋
２０３  背面側点検蓋
２０４，２０５  鉤形突起
２１０  室外筐体底板
３００，３００Ａ  多パルス整流器ユニット
３０１  底板
３０４，３０５  板状取付部
３０７  側板付箱形カバー
３０９  切欠き
【図１】
2004278821.tif 000003
【図２】
2004278821.tif 000004
【図３】
2004278821.tif 000005
【図４】
2004278821.tif 000006
【図５】
2004278821.tif 000007
【図６】
2004278821.tif 000008
【図７】
2004278821.tif 000009
【図８】
2004278821.tif 000010
【図９】
2004278821.tif 000011